(57)【要約】【目的】支柱の径の如何にかかわらず適用可能であり、また着脱が容易な支柱固定クリップを提供する。【構成】第１の支柱を挟持する第１及び第２の挟持片を備え、第１の挟持片に第３の挟持片が形成されて、第３の挟持片と前記第２の挟持片とで第１の支柱とこれにクロスする第２の支柱とを挟持する。【選択図】  図５
2004298015.tif 000002
【特許請求の範囲】
【請求項１】
クロスする第１の支柱と第２の支柱を固定するクリップであって、
第１の支柱を挟持する第１及び第２の挟持片を備え、
該第１の挟持片に第３の挟持片が形成されて、該第３の挟持片と前記第２の挟持片とで前記第１の支柱と第２の支柱とを挟持する、ことを特徴とする支柱固定クリップ。
【請求項２】
前記第１の挟持片と前記第３の挟持片とは一体的にかつ相互に直交して形成されている、ことを特徴とする請求項１に記載の支柱固定クリップ。
【請求項３】
前記第３の挟持片は前記第２の支柱の下側縁を支持する第１の支持部と前記第２の支柱の上側縁を支持する第２の支持部を有する、ことを特徴とする請求項１又は２に記載の支柱固定クリップ。
【請求項４】
前記第１及び第２の挟持片を開閉するための摘み部が形成され、該摘み部には第３の支持部が形成され、該第３の支持部で前記第２の支柱の下側面を支持する、ことを特徴とする請求項３に記載の支柱固定クリップ。
【発明の詳細な説明】
【０００１】
【産業上の利用分野】
この発明は支柱固定クリップに関する。この支柱固定クリップは園芸用の支柱を直交して固定するのに好適に使用される。
【０００２】
【従来の技術】
トマトやキュウリその他の作物を園芸栽培するときに、作物を支えるための支柱の使用が不可避である。一般的に、表面が樹脂コートされかつその両端を封止した金属製の細パイプが支柱として用いられ、複数の支柱を相互に直交にクロスさせて棚を作り作物をバランスよく支持できるようにする。
従来、クロスした支柱を紐や針金で縛ってこれらを固定していたが、支柱のクロス部分を一々縛っていては、固定作業に手間と時間がかかってしまう。
そこで、図１に示すように、断面がほぼＵ字形の２つのクリップ部３、５を背中合わせに連結したものが提案されている。かかる支柱固定クリップ１によれば、各クリップ部３、５へ支柱を嵌合することにより、支柱をクロスして固定することができる。
【０００３】
【発明が解決しようとする課題】
上記の支柱固定クリップ１によれば、各クリップ部３、５へ支柱を嵌合するだけで支柱をクロスして固定することができる。
しかしながら、各クリップ部３、５へ支柱を安定して固定するには両者の径を一致させる必要がある。種々の径の支柱が提供されているので、支柱の径に合致したクリップを準備しなければならない。換言すれば、支柱の径が異なればクリップ１を再利用することができない。
また、支柱からクリップ１を取り外すときにはクリップ部３、５を直接拡径しなければならない。支柱に対して充分な把持力をクリップ部３、５に与えた場合、これを拡径するには大きな力が必要となり、支柱からクリップ１を取り外す作業に手間がかかっていた。
【０００４】
【課題を解決するための手段】
そこでこの発明は、支柱の径の如何にかかわらず適用可能であり、また着脱が容易な支柱固定クリップの提供を目的する。
この目的を達成するためにこの発明は次の構成を採用する。即ち、
クロスする第１の支柱と第２の支柱を固定するクリップであって、
第１の支柱を挟持する第１及び第２の挟持片を備え、
該第１の挟持片に第３の挟持片が形成されて、該第３の挟持片と前記第２の挟持片とで前記第１の支柱と第２の支柱とを挟持する、ことを特徴とする支柱固定クリップ。
【０００５】
このように構成された支柱固定クリップによれば、第１の支柱は第１の挟持片と第２の挟持片の間及び第３の挟持片と第２の挟持片との間にあって挟持固定され、第１の支柱に対してクロスする第２の支柱は第２の挟持片と第３の挟持片との間にあって挟持固定される。本発明によれば、第１の支柱及び第２の支柱を第１〜第３の挟持片により挟持して固定するので、支柱の径の如何に拘わらず一種類のクリップで第１及び第２の支柱の固定が可能になる。
また、第１の支持片に第３の支持片が形成されているので、第２の支持片に対する第１の支持片（又は第３の支持片）の挟持を解放すれば、第３の支持片（又は第１の支持片）と第２の支持片との間の挟持も解放される。よって、第１の支柱と第２の支柱を同時に解放し、これらからクリップを容易に取り外すことができる。
【０００６】
以下、この発明の構成要素について説明する。
（支柱）
この発明のクリップの適用対象となる支柱は特に限定されるものではない。一般的には、表面が樹脂コートされかつその両端が封止されている金属パイプが用いられる。支柱のなかには、所定の間隔で節の形成されたものもある。
この発明において、支柱はクロスして使用される。第１の支柱（例えば縦支柱）と第２の支柱（例えば横支柱）とは相互に直交していることが好ましい。
【０００７】
第１及び第２の挟持片は第１の支柱を挟持するものであって、各挟持片の対向面は凹条面として第１の支柱の側面に沿わせ、第１の支柱に対する偏当たりを防止することが好ましい。
第１及び第２の挟持片は相互に近接する方向に付勢されており、これにより第１の支柱を挟持することができる。付勢の手段は特に限定されないが、ねじりコイルばねのばね弾性力を利用することができる。
第１及び第２の挟持片が相互に近接方向に付勢されることにともない、第３のの挟持片と第２の挟持片とが相互に近接方法へ付勢されることとなる。これにより、第３の挟持片と第２の挟持片との間に第１及び第２の支柱が挟持される。
【０００８】
第１の挟持片に対して第３の挟持片を直交して形成することにより、当該第３の支持片が第２の支柱と平行となり、これへ安定して当接される。よって、第１及び第２の支柱に対する挟持力が安定する。また、第１の挟持片と第３の挟持片とは一体の部材として形成されることが好ましい。クリップにおいて部品点数の削減を図るためである。
第３の挟持片の支柱当接面も凹条面として第２の支柱の側面に沿わせ、第２の支柱に対する偏当たりを防止することが好ましい。このような凹状面とすることにより、その下縁部が第２の支柱を下支えし、またその上縁部が第２の支柱を上側から押さえ込んでその脱落を確実に防止する。
【０００９】
第１の挟持片（及び第３の挟持片）と第２の挟持片とが相互近接方向にばね弾性的に付勢されている場合、両者を離隔させるようにする摘み部を形成することが好ましい。摘み部を閉じることにより、支柱へクリップを取り付けるときに第１の挟持片（及び第３の挟持片）と第２の挟持片とを離隔させて、これらで第１及び第２の支柱を容易に挟むことができる。また、第１及び第２の支柱からクリップを取り外すときにも同様に摘み部を閉じることにより挟持片を離隔させる。つまり、当該摘み部を設けることにより、支柱に対するクリップの取付け及び取外し作業が容易になる。
【００１０】
第２の支柱は第３の挟持部と第２の挟持部とにより挟持固定されるものであるが、両挟持部の間に第１の支柱が介在されている。したがって、第１の挟持部と第２の挟持部とで直接挟持され更に第３の挟持部と第２の挟持部とにより挟持される第１の支柱に比べ、安定性に欠けるおそれがある。そこで、摘み部を用いて第２の支柱を支えるようにすることが好ましい。この発明の一つの実施形態では、第３の挟持部の下縁（第１の支持部）と摘み部の上縁（第３の支持部）との高さを実質的に等しくし、もって、第２の支柱を下側から支えられるようにした。よって、第２の支柱がより安定することとなる。
【００１１】
【実施例】
以下、この発明の実施例を説明する。
図２はこの発明の実施例の支柱固定クリップ１１の斜視図を示す。図３、図４及び図５は同じく正面図、背面図及び使用態様図である。
実施例の支柱固定クリップ１１はその基本構造がいわゆる目玉クリップと同一である。即ち、図２〜４に示すように、樋形状の第１の挟持部１２と第２の挟持部１３に目玉形状の摘み部１８，１９が一体的に形成され、各片は軸１６を中心に揺動可能に組み付けられている。軸１６にはねじりコイルばね１７が巻回され、第１の挟持部１２と第２の挟持部１３とが相互に近接するようにこれらを付勢している。
【００１２】
第１の挟持部１２と第２の挟持部１３は樋形状であって、図５に示すようにこれらの対向面は第１の支柱２１に沿うものとされている。なお、この実施例では、摘み部１８、１９からみて図示下側に第１及び第２の挟持部は延出していない。ある種類の支柱には節が形成されており、この節に挟持部がかかるとガタツキが生じるので、これを避けるために挟持部を短くしたものである。
第３の挟持部１４は第１の挟持部１２から外側へ延出しており、第２の支柱の側面に沿うように樋形状とされている。そしてその上縁１４Ａは、特に図３において明らかに示されるように、第２の支柱側面の上側面まで達しており、これにより、第２の支柱の脱落が確実に防止される。
【００１３】
また、第３の挟持部１４の下縁１４Ｂと摘み部１８の上縁１８Ａとはほぼ同一の高さに形成されている。この下縁１４Ｂと上縁１８Ａとは協働して、図５に示されるように、第２の支柱２２の下縁を支えている。これにより、第２の支柱２２が安定してクリップ止めされることとなる。
【００１４】
かかる実施例の支柱固定クリップ１１はクロムめっきされた鋼板をプレスして形成されている。これを合成樹脂製若しくはセラミック製とすることもできる。
この実施例では、汎用されている部材を転用できるように目玉形状の摘み部を採用したが、その形状は特に限定されるものではない。また、クリップのタイプとして、ダブルクリップタイプ、山形クリップタイプを採用することもできる。
【００１５】
このように形成された実施例の支柱固定クリップ１１は、摘み部１８、１９を相互に近接するようにつまむことにより、第１の挟持部１２（及び第３の挟持部１４）と第２の挟持部１３とが軸１６を中心に揺動して相互に離隔する。図５に示すように、直交している第１の支柱２１及び第２の支柱２２のクロス部分に斜め下方からあてがい、第１の挟持部１２と第２の挟持部１３とで第１の支柱２１を挟し、かつ第３の挟持部１４と第２の挟持部１３とで第１の支柱２１及び第２の支柱２２を挟持するようにセットする。そして、摘み部１８、１９を解放すると、各挟持部１２、１３、１４がねじりコイルばね１７の作用により相互に近接する方向に付勢され、当該ばね１７の力で強固に各支柱２１、２２を挟持する。
他方、図５の状態から摘み部１８、１９を摘んで相互に近接させれば、軸１６を中心にして各挟持部１２、１３、１４が揺動し、支柱２１、２２から離れる。
これにより、支柱２１、２２から支柱固定クリップ１１を容易に取り外すことができる。
【００１６】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【図１】図１は従来例の支柱固定クリップの斜視図である。
【図２】図２はこの発明の実施例の支柱固定クリップの斜視図である。
【図３】図３は同じく正面図である。
【図４】図４は同じく背面図である。
【図５】図５は同じく使用態様図である。
【図１】
2004298015.tif 000003
【図２】
2004298015.tif 000004
【図３】
2004298015.tif 000005
【図４】
2004298015.tif 000006
【図５】
2004298015.tif 000007